(57)【特許請求の範囲】
【請求項１】
音声データおよび音声データに関連付けられた画像データの記録及び再生機能を備えるデータ記録再生装置において、
音声データの記録中にのみ機能すると共に画像データの記録を指示するレリーズスイッチと、
上記レリーズスイッチの操作に応じて、記録中の音声データに関連付けて画像データを記録する画像データ記録手段と、
音声データを再生する音声データ再生手段と、
上記音声データ再生手段による音声データの再生時に、該音声データに関連付けられた画像データの有無を検出する検出手段と、
再生中の音声に関連する情報を表示する表示手段と、
上記検出手段により該音声データに関連付けられた画像データが有ると検出された場合は、該画像データを上記表示手段に表示させる制御手段と、
を具備することを特徴とするデータ記録再生装置。
【請求項２】
上記制御手段は、音声データの再生時に、上記検出手段により該音声データに関連付けられた画像データが有ると検出された場合は、上記表示手段により該画像データを所定時間だけ表示した後、上記音声データの再生状況に切り換えて表示する
ことを特徴とする請求項１に記載のデータ記録再生装置。
【発明の詳細な説明】
【０００１】
【発明の属する技術分野】
本発明は、データ記録再生装置、詳しくは、撮像機能を備えたデータ記録再生装置に関する。
【０００２】
【従来の技術】
近年、音声信号をデジタルデータに変換した後、書き換え可能な記憶媒体としてのフラッシュメモリに記憶し、このフラッシュメモリに記憶された音声データをアナログ化して再生する、携帯型の音声記録再生装置（以降、ＩＣレコーダという）が実用化されている。
【０００３】
これらＩＣレコーダの特徴としては、所定の操作スイッチを操作することにより、録音、再生、早送りおよび早戻し等の各動作モードを選択的に機能させることができる。たとえば、録音動作のときは、予めフラッシュメモリに設けられた音声データ領域およびインデックス情報領域に、デジタル信号に変換された音声データおよび該音声データに関するインデックス情報（音声データのアドレス、録音日時等）を記憶するようになっている。
【０００４】
一方、近年、画像のみならず音声を記録可能とする電子スチルカメラが実用化されるに至っている。ところでこの種の電子スチルカメラにおいては、あくまで主たる記録要素は画像データであるため、限られた記憶容量の中で音声データに多くを割り当てることは難しい。具体的には、音声記録時間として考えるに、１つの画像に対して数十秒程度とかなり短い。この問題を解消するために、たとえば特開平６−２２２５８号公報に係る発明は、画像用の記録媒体とは別に音声専用の記録媒体を設けることにより、長時間の音声記録を可能としている。
【０００５】
また、当該特開平６−２２２５８号公報に係る発明では、画像を再生する際、この画像に対応する音声を瞬時に再生するために、音声記録を各画像の記録開始時点の絶対時間に対応づけるようにしている。
【０００６】
【発明が解決しようとする課題】
ところで、画像の記録よりも音声の記録を主目的とするような記録シーンを想定するに、たとえば、インタビュー等の記録シーンでは、複数の口述者の口述内容を長時間に渡って記録することがしばしば起こる。すなわち、実際の画像記録に要する時間よりも音声記録に要する時間の方が長くなることが多く発生する。
【０００７】
また、画像記録時の主要被写体＝口述者と考えれば、口述者が喋り始める時点の画像のみを、しかも口述者が識別できる程度の解像度で撮影して記録できればよい。したがって、画像記録が主目的の電子スチルカメラを用いて音声記録を行うのは、機能的にも無駄が多く好ましくないといえる。さらに、インタビューのような口述者と対峙する場面において、口述者が変わる毎にカメラを構えて撮影しなければならないので、非常に使い勝手が悪い。
【０００８】
本発明はかかる問題点に鑑みてなされたものであり、再生時において口述者と口述内容を容易に確認することができる、使いやすく誤操作のないデータ記録再生装置を提供することを目的とする。
【０００９】
【課題を解決するための手段】
上記の目的を達成するために本発明の第１のデータ記録再生装置は、音声データおよび音声データに関連付けられた画像データの記録及び再生機能を備えるデータ記録再生装置において、音声データの記録中にのみ機能すると共に画像データの記録を指示するレリーズスイッチと、上記レリーズスイッチの操作に応じて、記録中の音声データに関連付けて画像データを記録する画像データ記録手段と、音声データを再生する音声データ再生手段と、上記音声データ再生手段による音声データの再生時に、該音声データに関連付けられた画像データの有無を検出する検出手段と、再生中の音声に関連する情報を表示する表示手段と、上記検出手段により該音声データに関連付けられた画像データが有ると検出された場合は、該画像データを上記表示手段に表示させる制御手段と、を具備することを特徴とする。
【００１０】
上記の目的を達成するために本発明の第２のデータ記録再生装置は、上記第１のデータ記録再生装置において、上記制御手段は、音声データの再生時に、上記検出手段により該音声データに関連付けられた画像データが有ると検出された場合は、上記表示手段により該画像データを所定時間だけ表示した後、上記音声データの再生状況に切り換えて表示することを特徴とする。
【００１２】
【発明の実施の形態】
以下、図面を参照して本発明の実施の形態を説明する。
【００１３】
図１は、本発明のデータ記録再生装置の一実施形態の概略構成を示したブロック図である。
【００１４】
図１に示すように、本実施形態のデータ記録再生装置は、量子化された音声信号および画像信号を所定の符号化フォーマットの音声データおよび画像データに符号化する符号化手段１０１と、複数の操作スイッチが設けられたスイッチ操作部１０６と、録音時に限って上記スイッチ操作部１０６の特定スイッチを操作することにより、量子化された画像信号を選択的に上記符号化手段１０１に入力するようにした選択手段１０５と、上記音声データおよび上記音声データに関連づけられた画像のデータのそれぞれを記憶する記憶手段１０２と、再生時に上記記憶手段１０２から読み出した音声データおよび画像データのそれぞれ所定の復号化フォーマットに従って音声信号および画像信号に復号化する復号化手段１０３と、上記復号化された音声信号を音声として再生する音声再生部１０４と、上記復号化された画像信号を画像として再生する画像再生部１０８と、上記音声信号に関連づけられた画像信号のみを選択的に上記画像再生部１０８に入力するようにした選択手段１０７と、を具備することを特徴する。
【００１５】
また、音声データを記憶する音声データ記憶領域と、画像データを記憶するときにのみ設けられる画像データ記憶領域と、さらに上記各々の記憶領域に関するインデックス情報を記憶するインデックス記憶領域とを上記記憶手段１０２に設けたことを特徴とする。
【００１６】
また、当該データ記録再生装置の外観上の特徴として、音声を録音するマイクを配設する面に、画像を撮影する撮像レンズを設けたことを特徴とする。
【００１７】
次に、本実施形態のデータ記録再生装置の具体的な構成を説明する。
【００１８】
図２は、本発明のデータ記録再生装置の一実施形態であるＩＣレコーダの構成を示したブロック図である。
【００１９】
本実施形態のＩＣレコーダは、音声を電気信号に変換するマイクロフォン（ＭＩＣ）５および画像を電気信号に変換する撮像素子（ＣＣＤ）１を具備しており、上記マイクロフォン（ＭＩＣ）５からの音声出力は、音声入力部６に入力される。この音声入力部６は、図示しないマイクアンプ、ローパスフィルタ、およびＡ／Ｄ変換器等で構成されている。マイクアンプで増幅されたアナログの音声信号は、ローパスフィルタで不要な周波数帯域をカットした後、Ａ／Ｄ変換器でデジタル信号に変換される。
【００２０】
同様に、撮像素子（ＣＣＤ）１からの画像出力は、画像入力部２に入力される。画像入力部２は、図示しないアイリス、ゲイン、ホワイトバランス等の各制御回路およびＡ／Ｄ変換器等で構成されている。撮像素子（ＣＣＤ）１が出力する各画素信号は、上記画像入力部２によりデジタル信号に変換される。
【００２１】
上記音声および画像の各デジタル信号は、デジタル信号処理部（ＤＳＰ）１３に入力される。このデジタル信号処理部（ＤＳＰ）１３は録音時にはシステム制御部１０に制御されて上記各デジタル信号をフレーム単位で所定の符号化フォーマットの音声データおよび画像データに符号化（圧縮）する。符号化された各データは、一時的にシステム制御部１０の図示しないバッファメモリに記憶される。
【００２２】
一方、再生時の上記デジタル信号処理部（ＤＳＰ）１３は、システム制御部１０に制御されて、上述したシステム制御部１０の図示しないバッファメモリから音声データおよび画像データをフレーム単位で復号化（伸長）する処理を行う。そして復号化された音声のデジタル信号は、音声再生部７に入力される。
【００２３】
音声再生部７は、図示しないＤ／Ａ変換器、ローパスフィルタ、およびパワーアンプ等で構成されている。Ｄ／Ａ変換器でアナログ信号に変換された音声信号は、ローパスフィルタで不要な周波数帯域をカットした後、パワーアンプで増幅される。そして、スピーカ（ＳＰ）８から音声として出力される。
【００２４】
同様に、復号化された画像のデジタル信号は、画像再生部３に入力される。画像再生部３は、図示しないビデオ制御回路等で構成されている。上記画像再生部３から出力された画像信号は、たとえばＴＦＴ−ＬＣＤ等で構成した画像表示部４に画像として表示される。
【００２５】
上記システム制御部１０はＣＰＵで構成されており、上記デジタル信号処理部１３以外に、記憶部（メモリ）１２、操作部１１、および表示部９が接続されている。
【００２６】
記憶部（メモリ）１２は、不揮発性の半導体メモリ、たとえばフラッシュメモリ等で構成されており、録音時は、上記デジタル信号処理部１３で符号化された音声データおよび画像データを上記システム制御部１０の図示しないバッファメモリを介して記憶する。このとき、音声データおよび画像データに関するインデックス情報も記憶する。
【００２７】
操作部１１は、録音スイッチ（ＲＥＣ）、再生スイッチ（ＰＬＡＹ）、停止スイッチ（ＳＴＯＰ）、早送りスイッチに（ＦＦ）、早戻しスイッチ（ＲＥＷ）、メニュースイッチ（ＭＥＮＵ）、ホールドスイッチ（ＨＯＬＤ）、消去スイッチ（ＥＲＡＳＥ）等の各種スイッチが機能別に配設されている。
【００２８】
表示部９は、上記操作部１１のいずれかのスイッチ操作により、所定のシーケンスが開始したとき動作モード、またはその後の動作状況を表示する。たとえば、録音スイッチ（ＲＥＣ）を押した場合は、録音の経過時間、録音可能な残り時間、およびファイルナンバー等を表示する。また、メニュースイッチ（ＭＥＮＵ）を押した場合は、マイク感度（高／低）、録音モード（標準／ロング）、およびアラーム（オン／オフ）等の機能選択に関連した表示を行う。さらに、上記システム制御部１０が時計機能を有しているときは、現在日時の表示も行う。これら表示内容は、上記画像表示部４に表示してもよい。
【００２９】
次に、図３を参照して、本実施形態のＩＣレコーダの動作を説明する。
【００３０】
図３は、本実施形態のＩＣレコーダのメイン動作を示すフローチャートである。
【００３１】
図３に示すように、当該ＩＣレコーダがパワーオンされると、システム制御部１０（図２参照）は所定の初期設定（ステップＳ１）、及びタイマスタート（ステップＳ２）を実行する。このタイマは、所定時間経過後にＩＣレコーダが通常の動作モードから待機モード（低消費電流モード）に入るための時間を計時するものである。
【００３２】
ＩＣレコーダが動作モードに入ると、システム制御部１０は、ステップＳ３〜Ｓ８、およびステップＳ１８に示すスイッチ検出動作により、録音スイッチ（ＲＥＣ）、再生スイッチ（ＰＬＡＹ）、早送りスイッチに（ＦＦ）、早戻しスイッチ（ＲＥＷ）、停止スイッチ（ＳＴＯＰ）、メニュースイッチ（ＭＥＮＵ）、消去スイッチ（ＥＲＡＳＥ）の順に、オンしたスイッチがあるか否かを検出する。
【００３３】
ステップＳ３においてオンされたスイッチが録音スイッチであるならば、録音処理のサブルーチン（ステップＳ１１）を実行する。同様に、ステップＳ４においてオンされたスイッチが再生スイッチであるならば、再生処理のサブルーチン（ステップＳ１２）、オンされたスイッチが早送り（ステップＳ５）であるならば早送り処理のサブルーチン（ステップＳ１３）、オンされたスイッチが巻き戻しスイッチ（ステップＳ６）であるならば早戻し処理のサブルーチン（ステップＳ１４）、オンされたスイッチが停止スイッチ（ステップＳ７）であるならば停止処理のサブルーチン（ステップＳ１５）、オンされたスイッチがメニュースイッチ（ステップＳ８）であるならばメニュー変更処理のサブルーチン（ステップＳ１６）、オンされたスイッチが消去スイッチ（ステップＳ１８）であるならば消去処理（ステップＳ１９）をそれぞれ実行する。そして、サブルーチン実行後は、上記タイマを再スタート（ステップＳ１７）させてメインループに戻る。
【００３４】
なお、上記早送り処理、早戻し処理、停止処理、メニュー変更処理、および消去処理の各処理は、周知の技術手段を用いて実施しており、また、本実施形態の内容に直接関係しないので、ここでの詳しい説明は省略する。
【００３５】
すべてのスイッチがオフしている場合は、上記タイマの計時時間が所定時間をオーバーすると（ステップＳ９）、待機モードのサブルーチン（ステップＳ１０）に入る。待機モードに入るとシステム制御部１０の制御下に当該データ記録再生装置は低消費電流動作となる。具体的には、図２の音声入力部６、画像入力部２、音声再生部７、画像再生部３、画像表示部４、デジタル信号処理部（ＤＳＰ）１３、表示部９、および記憶部１２の電源を遮断、もしくは各ブロックを構成する図示しないＩＣに設けられているチップイネーブル端子に、システム制御部１０から非選択信号を出力することにより、低消費電流状態になる。このとき、システム制御部１０のＣＰＵは、自らも動作クロックを最も消費電流の少ない低速クロックに切り換えて低消費電流状態になる。場合によっては、動作クロックをメインクロック（たとえば、９．２８ＭＨｚ）からサブクロック（たとえば、３２．７６８、ｋＨｚ）に切り換えて、その後スイッチ入力が検出されるまでメインクロックを完全に停止させてもよい。
【００３６】
次に、図５のフローチャート、図２および図４を参照して録音処理について説明する。
【００３７】
録音を開始すると、システム制御部１０の制御下に、最初にマイク感度（高／低）、録音モード（標準／ロング）、ファイルナンバー、およびこの音声データを記憶する音声データ記憶領域開始アドレス等の各種情報が、インデックス情報領域に記憶される（ステップＳ５１）。つぎに、録音時にのみ機能するレリーズスイッチ（ＲＥＬ）のオン／オフ状態を検出する（ステップＳ５２）。ここでオンしていなければ画像取得処理のサブルーチン（ステップＳ５４）をそのまま実行するが、もしオンしている場合は、画像取得フラグをセット（ステップＳ５３）してから上記画像取得処理のサブルーチン（ステップＳ５４）を実行する。
【００３８】
デジタル信号処理部（ＤＳＰ）１３により音声信号が符号化（ステップＳ５５）されるが、符号化そのものはフレーム単位で行い、音声データが所定フレーム数（ステップＳ５６）になるまで連続的に行われる。そして、システム制御部１０の図示しないバッファメモリに記憶された音声データが、予め決められた所定フレーム数（ステップＳ５６）になると、音声データを記憶部（メモリ）１２の音声データ記憶領域開始アドレスから順に書き込んで記憶する（ステップＳ５７）。そして、画像取得フラグを確認し、画像フラグに０がセットされていなければ、ステップＳ５２の処理に戻る。
【００３９】
図４に示すように、音声データ領域Ａ、および音声データ領域Ｂは、たとえば音声データ領域の先頭アドレスから順に記憶されている。また、音声データ領域Ａ、音声データ領域Ｂに対応する開始アドレスが、音声データ領域Ａの先頭アドレス、および音声データ領域Ｂの先頭アドレスとしてインデックス情報領域に記憶されている。ちなみに、言うまでもなく音声データ領域Ｃ、音声データ領域Ｄ、・・・と、音声データ領域が確保される毎に、各音声データ領域の先頭アドレスをインデックス情報領域に記憶すればよい。
【００４０】
上記ステップＳ５２〜Ｓ５８は、停止スイッチ（ＳＴＯＰ）がオンする（ステップＳ５９）まで繰り返し行われる。停止スイッチ（ＳＴＯＰ）がオンすると、録音終了処理を実行して（ステップＳ６０）録音を終了する。
【００４１】
次に、図６のフローチャート、図２および図４を参照して画像取得処理について説明する。
【００４２】
まず、システム制御部１０は、画像取得フラグがセットされているか否かを検出する（ステップＳ７１）。セットされていなければ通常の録音処理を実行するが、セットされているときは、デジタル信号処理部（ＤＳＰ）１３により画像信号の符号化を行う（ステップＳ７２）。符号化そのものは音声データ同様にフレーム単位で行い、画像データが所定フレーム数になるまで（ステップＳ７３）、連続的に行われる。そして、システム制御部１０の図示しないバッファメモリに記憶された音声データが、予め決められた所定フレーム数になると（ステップＳ７３）、音声データを記憶部（メモリ）１２の音声データ記憶領域開始アドレスから順に書き込んで記憶する（ステップＳ７４）。
【００４３】
図４に示すように、画像データ領域の開始アドレスは、たとえば上記音声データ領域の最後のアドレスから順に記憶されている。また、画像データ領域Ｐ、画像データ領域Ｑ、および画像データ領域Ｒに対応する開始アドレスが、画像データ領域Ｐの先頭アドレス、画像データ領域Ｑの先頭アドレス、および画像データ領域Ｒの先頭アドレスとしてインデックス情報領域に記憶されている。これらの画像データも上記音声データと同様に、画像データ領域が確保される毎に、各画像データ領域の先頭アドレスをインデックス情報領域に記憶すればよい。
【００４４】
上記ステップＳ７１〜Ｓ７４は、画像取得を終了する（ステップＳ７５）まで繰り返し行う。画像取得終了（ステップＳ７５）後は、音声データ関連づけフラグをセット（ステップＳ７６）、および画像取得フラグをリセット（ステップＳ７７）して終了する。なお、音声データ関連づけフラグに関しては、後述の画像再生処理において詳しく説明する。
【００４５】
次に、図７のフローチャートおよび図２を参照して再生処理について説明する。
【００４６】
再生を開始すると、システム制御部１０の制御下に、選択した音声データに関連づけした録音モード（標準／ロング）、ファイナルナンバー、およびこの音声データを記憶した音声データ記憶領域開始アドレス等の各種情報が、インデックス情報領域から読み出される（ステップＳ８１）。そして、システム制御部１０は、画像再生処理のサブルーチン（ステップＳ８２）を実行した後、上記音声データ記憶領域開始アドレスから順に記憶部（メモリ）１２に記憶している音声データを読み出し（ステップＳ８３）、デジタル信号処理部（ＤＳＰ）１３により復号化する（ステップＳ８４）。
【００４７】
復号化そのものはフレーム単位で行うので、システム制御部１０は音声データが所定フレーム数になるまで連続的に行い（ステップＳ８５）、システム制御部１０の図示しないバッファメモリに順次記憶しながら音声信号として音声再生部７に出力する。
【００４８】
システム制御部１０は、音声データの復号化が所定フレーム数終了すると（ステップＳ８５）、画像表示中フラグの状態を判定する（ステップＳ８６）。ここで画像表示中フラグがセットされている場合は、音声の再生開始と同時に図２の表示部９に画像表示を行う。通常、音声の再生に伴う口述者の認識は、画像表示開始から数秒間あれば十分なので、後述する画像再生処理で計時を開始させた画像表示中タイマが、所定時間を計時してオーバフローしたか否かを判定する（ステップＳ８７）。
【００４９】
このステップＳ８７においてオーバフローしていなければ、システム制御部１０は、上記ステップＳ８２〜ステップＳ８６を繰り返し行う。一方、オーバフローしていれば、画像表示中フラグをリセットする（ステップＳ８８）。さらに、システム制御部１０は、上記画像表示中タイマの計時を停止させて（ステップＳ８９）、通常の再生モード時の表示（録音時間、再生時間、録音モード（標準／ロング）、ファイルナンバー等）を行う（ステップＳ１００）。
【００５０】
上記ステップＳ８２〜ステップＳ８６は、停止スイッチ（ＳＴＯＰ）がオンするまで（ステップＳ１０１）繰り返し行われる。そして停止スイッチ（ＳＴＯＰ）がオンすると、システム制御部１０は、再生終了処理を実行して（ステップＳ１０２）、再生を終了する。
【００５１】
次に、図８のフローチャートおよび図２を参照して画像再生処理について説明する。
【００５２】
まず、システム制御部１０は、音声データ関連づけフラグがセットされているか否かを検出する（ステップＳ９１）。ここでセットされていなければ通常の再生処理を実行するが、セットされているときは、上記画像データ記憶領域開始アドレスから順に記憶部（メモリ）１２に記憶している画像データを読み出し（ステップＳ９２）、デジタル信号処理部（ＤＳＰ）１３により復号化する（ステップＳ９３）。
【００５３】
復号化そのものは音声データ同様にフレーム単位で行うので、システム制御部１０は、画像データが所定フレーム数になるまで連続的に行い（ステップＳ９４）、システム制御部１０の図示しないバッファメモリに順次記憶しながら画像信号として画像再生部３に出力する。
【００５４】
システム制御部１０は、上記ステップＳ９１〜ステップＳ９４について、画像再生を終了するまで（ステップＳ９５）繰り返し行う。画像再生終了（ステップＳ９５）後、システム制御部１０は音声データ関連づけフラグをリセット（ステップＳ９６）、画像表示中フラグをセット（ステップＳ９７）、および画像表示中タイマの計時を開始させて（ステップＳ９８）、該画像再生処理を終了する。
【００５５】
次に、当該ＩＣレコーダにおける、録音時の画像取得の様子を図９乃至図１１を参照して説明する。
【００５６】
図９は本実施形態のデータ記録再生装置（ＩＣレコーダ）の上面図であり、図１０は当該ＩＣレコーダにおける録音時の操作表示部の状態を示した正面図である。また、図１１は当該ＩＣレコーダを用いて口述者の録音・撮影を行う際の様子を示した正面図である。
【００５７】
図９に示すように、本実施形態のＩＣレコーダ７２の上面には、マイクロフォン孔７４、撮影レンズ７５、マイクジャック７６、およびイヤフォンジャック７７が配設されている。これらのマイクロフォン孔７４および撮影レンズ７５の直下には、図２のマイクロフォン（ＭＩＣ）５および撮像素子（ＣＣＤ）１がそれぞれ配設されている。また、図１０に示すレリーズスイッチ（ＲＥＬ）７３および録音スイッチ（ＲＥＣ）７０以外のその他の操作スイッチは、特に図示はしないが、これらのその他の操作スイッチは、操作し易いようにＩＣレコーダ７２の前面あるいは側面側に配設されている。
【００５８】
さらに、ＩＣレコーダ７２の前面のスピーカ孔７８（図１１参照）の直下には、図２のスピーカ（ＳＰ）８が配設されている。なお、上記操作スイッチは、本実施形態では、通常タクティルプッシュスイッチ（Ｔａｃｔｉｌｅ  Ｐｕｓｈ  Ｓｗｉｔｃｈ）といわれるフェザータッチのスイッチを用いている。
【００５９】
このような構成をなす当該ＩＣレコーダを用いて口述者の録音を行う際の様子について説明する。
【００６０】
ＩＣレコーダ７２の録音スイッチ７０をオンにすると録音が開始される。このとき、表示部７１には録音開始初期の表示が現れ（図１０参照）、録音状態であることを操作者に告知する。この状態においてＩＣレコーダ７２の上面を口述者７９（図１１参照）に向けてレリーズスイッチ（ＲＥＬ）７３をオンすることにより、口述者の画像を取得することができる。
【００６１】
画像取得は、レリーズスイッチ（ＲＥＬ）７３をオンする毎に行われる。したがって、複数の口述者を相手にするインタビュー等においても、口述内容に対応する口述者毎の画像を確実に記録することができる。さらに、画像を確実に記録するために、レリーズスイッチ（ＲＥＬ）７３をオンしてから暫くの間は、撮影レンズ７５で捕捉した画像を表示部７１に表示してもよい。そして、被写体のフレーミングを決定した後、再びレリーズスイッチ（ＲＥＬ）７３をオンすることにより画像取得が実行されるようにしてもよい。
【００６２】
次に、当該ＩＣレコーダにおける、再生時の画像再生の様子を図１２を参照して説明する。
【００６３】
図１２は、本実施形態のＩＣレコーダにおける、音声・画像の再生の様子を示した正面図である。
【００６４】
ＩＣレコーダ７２の前面あるいは側面側に配設された図示しない再生スイッチをオンすると再生が開始される。スピーカからは、たとえば図１２中の「吹き出し」に示すような音声が発音されると同時に、この音声に関連した口述者の画像が表示部に表示される。画像は、この画像に関連した音声の再生が終了するまで表示してもよい。もちろん、前述のように再生開始から一定時間だけ表示するのもよい。また、画像確認が不要ならば、全く表示しなくてもよい。もし、音声に関連した画像が記録されていないときは、通常の再生時の表示（録音時間、再生経過時間、録音モード（標準／ロング）、ファイナルナンバー等）を行う。
【００６５】
以上の説明のように、本実施形態のデータ記録再生装置によれば、再生時に、口述内容を聴きながら口述者自身を視覚的に確認することができるので、特にインタビューなど、複数の口述者の口述内容を口述者毎に録音して、後日ドキュメント化するような場合に非常に有効である。
【００６６】
また、画像データおよび音声データを非揮発性メモリに兼用して記憶するので、コストアップが生じない。
【００６７】
さらに、マイクロフォンの指向方向と同軸方向に撮影レンズを配設しているので、操作者は、違和感なくスムーズに録音時の画像取得を行うことができる。また、口述者に対してもほとんど不快感を与えることがない。
【００６８】
【発明の効果】
以上説明したように本発明によれば、再生時において口述者と口述内容を容易に確認することができる、使いやすく誤操作のないデータ記録再生装置を提供することができる。
【図面の簡単な説明】
【図１】本発明のデータ記録再生装置の概略構成を示したブロック図である。
【図２】本発明のデータ記録再生装置の一実施形態であるＩＣレコーダの構成を示したブロック図である。
【図３】上記実施形態のＩＣレコーダのメイン動作を示すフローチャートである。
【図４】上記実施形態のＩＣレコーダにおける記憶部のメモリ構成を示した説明図である。
【図５】上記実施形態のＩＣレコーダにおける録音処理動作を示したフローチャートである。
【図６】上記実施形態のＩＣレコーダにおけるサブルーチン画像取得処理動作を示したフローチャートである。
【図７】上記実施形態のＩＣレコーダにおける再生処理動作を示したフローチャートである。
【図８】上記実施形態のＩＣレコーダにおけるサブルーチン画像再生処理動作を示したフローチャートである。
【図９】上記実施形態のＩＣレコーダの上面図である。
【図１０】上記実施形態のＩＣレコーダにおける録音時の操作表示部の状態を示した正面図である。
【図１１】上記実施形態のＩＣレコーダを用いて口述者の録音・撮影を行う際の様子を示した正面図である。
【図１２】上記実施形態のＩＣレコーダにおける、音声・画像の再生の様子を示した正面図である。
【符号の説明】
１０１…符号化手段
１０２…記憶手段
１０３…復号化手段
１０４…音声再生部
１０５…選択手段
１０６…スイッチ操作部
１０７…選択手段
１０８…画像再生部
１…撮像素子（ＣＣＤ）
２…画像入力部
３…画像再生部
４…画像表示部
５…マイクロフォン（ＭＩＣ）
６…音声入力部
７…音声再生部
８…スピーカ（ＳＰ）
９…表示部
１０…システム制御部
１１…操作部
１２…記憶部（メモリ）
１３…デジタル信号処理部（ＤＳＰ）
【図１】
0004343408.tif 000002
【図２】
0004343408.tif 000003
【図３】
0004343408.tif 000004
【図４】
0004343408.tif 000005
【図５】
0004343408.tif 000006
【図６】
0004343408.tif 000007
【図７】
0004343408.tif 000008
【図８】
0004343408.tif 000009
【図９】
0004343408.tif 000010
【図１０】
0004343408.tif 000011
【図１１】
0004343408.tif 000012
【図１２】
0004343408.tif 000013